(57)【要約】  ユーザによる接触に基づいて地理的地域をあらわす信号を生成するように構成されるタッチセンサ式地球儀と、生成された信号を受信して接触された地理的地域に対応する情報を得るように構成される情報処理ユニットと、接触された地理的地域に対応する雰囲気を作り出すために得られた情報に従って少なくとも１つの出力装置を適応させるように構成される制御ユニットとを有するインタラクティブな雰囲気生成システムが開示される。開示されたシステムは、好適には、文化の異なる客間で言語及び／又は精神的モデルが異なり得る、ホテルの背景において雰囲気を制御するのに使用されることができる。
2012503291.tif 000002
【特許請求の範囲】
【請求項１】
インタラクティブな雰囲気生成システムであって、
ユーザによる接触に基づいて地理的地域をあらわす信号を生成する、タッチセンサ式地球儀と、
前記生成された信号を受信し、前記接触された地理的地域に対応する情報を得る、情報処理ユニットと、
前記接触された地理的地域に対応する雰囲気を作り出すために、前記得られた情報に従って少なくとも１つの出力装置を適応させる、制御ユニットとを有する、インタラクティブな雰囲気生成システム。
【請求項２】
前記情報処理ユニットが、
データベース／メモリにアクセスし、前記接触された地理的地域に対応する所定情報を得る、及び／又は、
インターネットにアクセスし、前記接触された地理的地域に対応する情報を得る、
請求項１に記載のインタラクティブな雰囲気生成システム。
【請求項３】
前記情報処理ユニットが、前記接触された地理的地域に対応して、
気象条件データ
気候条件データ
大気条件データ
照明条件データ
文化関連データ
環境及び／又は自然関連データ
時間データ好適には時間帯、時刻
の少なくとも１つを得る、請求項１に記載のインタラクティブな雰囲気生成システム。
【請求項４】
前記ユーザによる接触が、
指／スタイラスによって前記所要の地理的地域に接触すること、
前記所要の地理的地域の上にポーン／キーを配置すること
の少なくとも１つを有する、請求項１に記載のインタラクティブな雰囲気生成システム。
【請求項５】
前記制御ユニットが、以下の出力装置、
照明／点灯装置
暖房装置
空調装置
ファン
オーディオ装置
ビデオ装置
シーン生成装置
の少なくとも１つを制御する、請求項１に記載のインタラクティブな雰囲気生成システム。
【請求項６】
前記タッチセンサ式地球儀が、前記接触された地理的地域を照射する、請求項１に記載のインタラクティブな雰囲気生成システム。
【請求項７】
前記ポーン／キーを前記地理的地域から除去すること、
指／スタイラスを用いて前記照射された地理的地域に接触すること、
前記地球儀のスイッチを切ること、
の少なくとも１つに応じて、前記作り出された雰囲気が無効にされ、デフォルトの雰囲気が作り出される、請求項１に記載のインタラクティブな雰囲気生成システム。
【請求項８】
前記タッチセンサ式地球儀と結合される太陽球であって、前記タッチセンサ式地球儀と比較してサイズが小さく、前記タッチセンサ式地球儀の回転軸に平行な回転軸上に、前記タッチセンサ式地球儀から実質的に離れて配置される、太陽球をさらに有し、
前記情報処理ユニットがさらに、前記接触された地理的地域に関連して前記太陽球の位置を決定し、昼／夜の時間に関連する情報を得る、並びに、
前記制御ユニットがさらに、前記得られた昼／夜の時間をあらわす雰囲気を作り出すために少なくとも１つの出力装置を適応させる、
請求項１に記載のインタラクティブな雰囲気生成システム。
【請求項９】
前記接触された地理的地域が前記太陽球の後ろになるように前記タッチセンサ式地球儀又は前記太陽球を配置することが、夜をあらわす雰囲気を作り出すように前記制御ユニットを作動させる、請求項８に記載のインタラクティブな雰囲気生成システム。
【請求項１０】
前記情報処理ユニットがさらに、前記ユーザからの追加情報を手動で受信し、前記制御ユニットがさらに、ｉ）前記接触された地理的地域に対応して得られた情報、及びｉｉ）手動で受信された前記ユーザからの追加情報に基づいて、少なくとも１つの出力装置を適応させて雰囲気を作り出す、請求項１乃至９のいずれか一項に記載のインタラクティブな雰囲気生成システム。
【請求項１１】
前記タッチセンサ式地球儀が、地理的地域を選択し、前記選択された地理的地域をあらわす信号を生成するために取り外し可能なポーンと結合される、二次元電子マット又は二次元タッチスクリーンとして構成される、請求項１に記載のインタラクティブな雰囲気生成システム。
【請求項１２】
インタラクティブな雰囲気生成法であって、
タッチセンサ式地球儀を利用し、ユーザによる接触に基づいて地理的地域をあらわす信号を生成するステップと、
前記生成された信号を受信し、前記接触された地理的地域に対応する情報を得るステップ、
前記接触された地理的地域に対応する雰囲気を作り出すために、前記得られた情報に従って少なくとも１つの出力装置を作動させるステップとを有する、方法。
【請求項１３】
請求項１２に記載の方法を実行するための実行コードを有するソフトウェアプログラム。
【発明の詳細な説明】
【技術分野】
【０００１】
本願主題はインタラクティブな雰囲気生成システムに関する。
【背景技術】
【０００２】
特許文献ＷＯ２００８／０３２２３７は照明設定を選択及び制御するシステムを開示する。インタラクティブな方法及びシステムは、シーンデータを含むカード、シーンデータを読み取るように構成されるリーダ、及びシーンデータと関連するシーンを提供するためにシーンデータに従って少なくとも１つの制御可能装置を作動させるように構成されるプロセッサを含む。制御可能装置、例えば光源及び／又はプロジェクタ／ディスプレイは、カードをリーダのスロットに挿入すること、又はカードをリーダの表面に置くことに応じて作動される。プロセッサは、シーン又はシーンを提供する制御可能装置の強度及び／又は色を変えることを含む、ユーザによるシーンの属性の調節を可能にするように構成される。
【０００３】
一般的に、ほとんどのシーンはユーザの気分若しくは感情（例えば嬉しい、興奮）、又はその活動、例えば仕事、読書又は料理などに基づく。シーン設定のこの様式の欠点は、嬉しいシーンの１人の考えが、別の人のものとは根本的に異なるかもしれないということであり得る。これは、これらのシーンがホテルの背景で使用されるときに特に当てはまり得る、すなわち、文化的側面が加わるので意見の相違がさらにいっそう異なることになる。ユーザは、シーンがどのようであるべきかについて異なる意見を持つ可能性がある、すなわち、１人にとって'居心地の良い'シーンは別の人にとっても居心地の良いシーンのように感じるだろうか？
【発明の概要】
【発明が解決しようとする課題】
【０００４】
従って、室内に所望の雰囲気を作り出す直感的方法を提供することができるインタラクティブな雰囲気生成システムを持つことが有利であろう。
【課題を解決するための手段】
【０００５】
従って、本願主題は好適には、上述の欠点の１つ以上を単独で又は組み合わせて軽減、緩和、又は除外しようとする。特に、ユーザが室内に所望の雰囲気を作り出すのを助けることができる、直観的でインタラクティブな雰囲気生成システムを提供することが本願主題の目的とみなされ得る。
【０００６】
この目的及びいくつかの他の目的は、以下を有する雰囲気生成システムを提供することによって本願主題の第一の態様において得られる。
ユーザによる接触に基づいて地理的地域をあらわす信号を生成するように構成されるタッチセンサ式地球儀、
生成された信号を受信し、接触された地理的地域に対応する情報を得るように構成される情報処理ユニット、及び、
接触された地理的地域に対応する雰囲気を作り出すために、得られた情報に従って少なくとも１つの出力装置を適応させるように構成される制御ユニット。
【０００７】
本願主題は、好適には、文化の異なる客間で言語又は精神的モデルが異なり得るホテル環境において、雰囲気を制御する又はシーンを設定する新たな方法を提供する。ここで客又はユーザという語は、歓待される訪問者、好適にはホテルの客をあらわす。客及び／又はユーザという語は本開示の文脈において同じ意味を持つ。全ての客は１つの共通点を持つ、すなわち彼らは同じ惑星から来るということである。世界の地域と関連する気候は客間で異なる可能性が低いので、部屋の雰囲気を制御するためのメタファーとして使用されることができる。従って、客が国を選択するとき、室内の出力装置は、選択された国の気候をあらわすプリセットに基づいて適宜適合するようにその設定を変化させる。実例として、客がスカンジナビアの国を選択する場合、部屋は寒冷気候とノルウェーの湖をあらわすために青及び青緑色で照らされる。室内の温度は２、３度下がり、涼しい風が生成され得、雨音が始まるか、又は客が望む場合はＡＢＢＡの曲が鳴り始め得る。しかしながら、客が温かく感じることを望む場合は、オーストラリア、エジプト、ハワイなどの温かい国を選択するはずであるが、各々は微妙に異なる大気力学を持ち得る。
【０００８】
ホテルは、洗練された、かつアクセスしやすい雰囲気生成システムを提供することによって、差別化サービス又は豪華さを提供し得、これは多くの異なる客が、部屋の雰囲気を変えることができる同じホテルの部屋から、より大きな帰属意識、個人化、及び喜びを得ることを可能にする。
【０００９】
開示された雰囲気生成システムは、テキスト又はアイコンなしの使いやすい直感的ユーザインターフェースを提供する。言語の問題、文化の問題、及びメニューの問題はない。さらに、複雑性の問題がない。開示された雰囲気生成システムは教材として使用されることができる。
【００１０】
一実施形態において、情報処理ユニットは、
データベース／メモリにアクセスし、接触された地理的地域に対応する所定情報を得るように、及び／又は、
インターネットにアクセスし、接触された地理的地域に対応する情報を得るように構成される。
【００１１】
情報処理ユニットは、データベース又はメモリに直接接続されることができる。メモリはＲＡＭ、ＲＯＭなどあらゆる種類を含むことができる。情報処理ユニットは、データベース／メモリとやり取りし、接触された地理的地域に対応する情報を得ることができるソフトウェアをさらに含むことができる。また、インターネット上の情報にアクセスすることによって接触された地理的地域についてのリアルタイム情報を得ることも可能である。従って客は世界中の天気がどのようであるか知ることができ、それを使って室内の雰囲気を定めることができる。
【００１２】
さらなる実施形態において、情報処理ユニットは、接触された地理的地域に対応して、
気象条件データ
気候条件データ
大気条件データ
照明条件データ
文化関連データ
環境及び／又は自然関連データ
時間データ好適には時間帯、時刻
の少なくとも１つを得るように構成される。雰囲気は、光、温度、音、及びシーンの組み合わせと考えられることができる。従って、上記の情報を得ることは、客の経験を豊かなものにすることができる雰囲気を作り出すのに役立つことができる。ホテルの室内の客は、時間帯と、自分の母国についての関連情報を容易に得ることができる。母国を離れて滞在しているとき、客は母国に接触し、例えば時間、天気、ニュースなどについての情報を得ることができる。実例として、客がオランダにいる場合、そして中国の仕入先に電話をしたい場合、客はタッチセンサ式地球儀上の中国を押して、何時かを知り、そしてそれに応じて行動することができる。
【００１３】
なおさらなる実施形態において、ユーザによる接触は、
指／スタイラスによって所要の地理的地域に接触すること、
所要の地理的地域の上にポーン／キーを配置すること、
の少なくとも１つを有する。この実施形態は、客が複数のスイッチを制御しなければならない必要がないという利点を持つ。さらに、これは使いやすいタッチインターフェースを提供する。
【００１４】
なおさらなる実施形態において、制御ユニットは、以下の出力装置の少なくとも１つを制御するように構成される。
照明／点灯装置
暖房装置
空調装置
ファン
オーディオ装置
ビデオ装置
シーン生成装置
これは、タッチセンサ式地球儀が、多くの以前は独立していた装置の制御を簡略化することができるという利点を持つ。さらに、設定を記憶することが容易であり、例えば個々の装置上の無数の数のダイヤルの位置ではなく、地球儀上の位置を記憶することは容易である。
【００１５】
なおさらなる実施形態において、タッチセンサ式地球儀は、接触された地理的地域を（例えば白熱光を用いて）照射するように構成される。タッチセンサ式地球儀のどの地域が照射されるかに関するフィードバックは重要である。接触された地理的地域を照射することは客の注意を地球儀に引き付けることができる。さらに、客はその機能を調べ、取り扱い方を学ぶことができる。学習過程は短くなり得る。客は部屋の雰囲気における効果を見るために地域を選択するだけでよい。さらに、客が選択した地理的地域は、客が自分が選択したものを容易に理解して思い出すことができるように、別の地理的地域が選択されるまで照射されたままであることができる。
【００１６】
なおさらなる実施形態において、
ポーン／キーを地理的地域から除去すること
指／スタイラスを用いて照射された地理的地域に接触すること
地球儀のスイッチを切ること
の少なくとも１つに応じて、作り出された雰囲気が無効にされ、デフォルトの雰囲気が作り出される。この実施形態は、作り出された雰囲気を無効にする、及びデフォルトの雰囲気を設定する、簡単で直感的な方法を提供する。さらにホテルの背景において、これはユーザが部屋をチェックアウトすると自動的に起こることもできる。客が自分の部屋に戻るとき、タッチセンサ式地球儀は、再度見つけるのが容易であるように以前の選択について思い出すか、又は客に示すことができる。さらに、古い客と新しい客の間でデフォルトにするオートリセットを提供することも可能である。
【００１７】
なおさらなる実施形態において、インタラクティブな雰囲気生成システムは以下をさらに有する。
タッチセンサ式地球儀と結合される太陽球、該太陽球はタッチセンサ式地球儀と比較してサイズが小さく、タッチセンサ式地球儀の回転軸に平行な回転軸上に、タッチセンサ式地球儀から実質的に離れて配置される。
情報処理ユニットはさらに、接触された地理的地域に関連して太陽球の位置を決定し、昼／夜の時間に関連する情報を得るように構成され、
制御ユニットはさらに、得られた昼／夜の時間をあらわす雰囲気を作り出すために少なくとも１つの出力装置を適応させるように構成される。
【００１８】
地球儀は太陽をあらわす別の球体を伴うことができる。客は地球儀をその軸周りに（又は太陽球（若しくは月球）をその軸周りに）回転させることによって、及びその選択された地理的地域が太陽球に関連してどこにあるかに応じて、室内の雰囲気をさらに調節することができ、制御ユニットは理論時刻を変更し、そしてそれに従って雰囲気を変更することができる。実例として、客はスカンジナビアの朝、昼、夕暮れ、又は夜をあらわすように雰囲気を調節することができる。
【００１９】
なおさらなる実施形態において、接触された地理的地域が太陽球の後ろになるように地球儀を配置することは、夜をあらわす雰囲気を作り出すように制御ユニットを作動させる。室内の光の量は客によって適切に制御されることができ、直観的で使いやすいインターフェースを提供する。さらに、客間で大きく変わる可能性が低い、昼、夜、時間、気候、地理などの既存の精神的モデルがうまく活用されることができる。
【００２０】
なおさらなる実施形態において、情報処理ユニットはさらに、ユーザからの追加情報を手動で受信するように構成され、制御ユニットはさらに、ｉ）接触された地理的地域に対応して得られた情報、及びｉｉ）手動で受信されたユーザからの追加情報に基づいて、少なくとも１つの出力装置を適応させて雰囲気を作り出すように構成される。これはユーザが、接触された地理的地域に対応して得られた情報に加えて設定のいくつかを独立して自由に変更し、所要の雰囲気を要求に合わせて作ることを可能にする。実例として、ホテルの背景では、タッチセンサ式地球儀は主要な照明と雰囲気のみを制御することができる。客は機能照明のいくつかを独立して自由に変更することができる。さらなる実例として、英国にいる客が"オーストラリア"を選択した場合、これら２国の昼夜時間は異なり、客は室内の全ての明かりを消したくないかもしれない。このようなシナリオにおいて、客は接触された地理的地域の所定の設定と関連して雰囲気を手動で制御することができる。
【００２１】
なおさらなる実施形態において、タッチセンサ式地球儀は、地理的地域を選択し、選択された地理的地域をあらわす信号を生成するためにポーンと結合される、二次元電子マットとして、又は二次元タッチスクリーンとして構成される。
【００２２】
タッチセンサ式地球儀は二次元表面であることができる。これはタッチスクリーン又は電子マットの形をとることができる。磁気コイルを備える特殊ポーンが、国又は地域を選択するために使用されることができる。雰囲気をオフにするために、客は'オン／オフ'を選択する別のポーンを使用するか、又はポーンをマットから外すことができる。この実施形態は前述のタッチセンサ式地球儀インターフェースのような"太陽"を含まないが、このマットインターフェースは、同様の機能を提供することができる追加の'時刻'制御を持つことができる。
【００２３】
さらに、ホテルの背景において、ポーンはホテルキーであることができる。これは、通常は明かりを点灯又は消灯するためにドア付近のスロットに置かれる既存のホテルカードキーと同様に機能し得る。しかしながら、この実施形態において、ユーザはキーポーンをマットの上に置き、これを用いて国／地理的地域を選択することができる。
【００２４】
本願主題の第二の態様において、インタラクティブな雰囲気生成法が開示される。該方法は以下を有する。
タッチセンサ式地球儀を利用し、ユーザによる接触に基づいて地理的地域をあらわす信号を生成するステップ
生成された信号を受信し、接触された地理的地域と関連する情報を得るステップ
接触された地理的地域と関連する雰囲気を作り出すために、得られた情報に従って少なくとも１つの出力装置を作動させるステップ
【００２５】
これらの及び他の態様、特徴、及び利点は、添付の図面を参照して、ほんの一例として、以下の記載によってさらに説明され、図面において同じ参照数字は同じ又は同様の部分を示す。
【図面の簡単な説明】
【００２６】
【図１】本願主題の一実施形態にかかるインタラクティブな雰囲気生成システムの例を概略的に図示する。
【図２】二次元電子マット上に設けられるタッチセンサ式地球儀を有するインタラクティブな雰囲気生成システムの別の例を概略的に図示する。
【図３】本願主題のさらなる実施形態にかかるインタラクティブな雰囲気生成システムの別の例を概略的に図示する。
【図４】本願主題にかかるインタラクティブな雰囲気生成法の実施形態例を概略的に図示する。
【発明を実施するための形態】
【００２７】
ここで図１を参照すると、インタラクティブな雰囲気生成システム１００は、
ｉ．タッチセンサ式地球儀１０２
ｉｉ.情報処理ユニット１０４
ｉｉｉ．制御ユニット１０６
ｉｖ．複数の出力装置１０８
を有する。
【００２８】
ここでタッチセンサ式地球儀１０２は、特に地球の地図がその上にあらわされる球体をあらわす。タッチセンサ式地球儀１０２は一般に地球惑星のように見える。客は指又はスタイラス又はポーンを用いて地球儀の表面に触れ、客が雰囲気をあらわしたいと望む特定の地理的地域／場所／国を選択することができる。
【００２９】
情報処理ユニット１０４はデータベース（又はメモリ）にアクセスし、地理的地域（例えば国）の選択に応じて接触された地理的地域に対応する情報を読み出す。情報処理ユニット１０４を、インターネットにアクセスして、インターネットを介して天気／大気についてのリアルタイム情報を得るように構成することも可能である。客は世界中の天気がどのようであるかを知ることができ、それを用いて室内の雰囲気を定めることができる。
【００３０】
さらに、情報処理ユニット１０４は、接触された地理的地域に対応して、以下のうちの少なくとも１つを得るように構成されることができる。
気象条件データ
気候条件データ
大気条件データ
照明条件データ
文化関連データ
環境及び／又は自然関連データ
時間データ好適には時間帯、時刻
得られた情報は少なくとも１つの出力装置を制御するために使用されることができる。出力装置１０８は、
照明／点灯装置
暖房装置
空調装置
ファン
オーディオ装置
ビデオ装置
シーン生成装置
を含むことができる。さらに、タッチセンサ式地球儀は接触された地理的地域を照射するように構成されることができる。接触された地理的地域を照射することは、客の注意をタッチセンサ式地球儀に引き付けることができる。さらに、客はその機能を調べ、取り扱い方を学ぶことができる。学習過程は短くなり得る。客は部屋の雰囲気における効果を見るために地理的地域を選択するだけでよい。さらに、客が選択した地理的地域は、客が自分が選択したものを容易に理解して思い出すことができるように、別の地理的地域が選択されるまで照射されたままであることができる。
【００３１】
以下の少なくとも１つに応じて、作り出された雰囲気は無効にされることができ、デフォルトの雰囲気が作り出されることができる。
ポーン／キーを地理的地域から除去すること
指／スタイラスを用いて照射された地理的地域に接触すること
地球儀のスイッチを切ること
【００３２】
ここで図２を参照すると、タッチセンサ式地球儀は、地理的地域を選択し、選択された地理的地域をあらわす信号を生成するために取り外し可能なポーンと結合される、二次元電子マットとして、又は二次元タッチスクリーンとして構成されることができる。タッチセンサ式地球儀は、タグタイルゲームと同様の形をとることができる。磁気コイルを備える特殊ポーン２０２が、国又は地域を選択するために使用されることができる。明りを消すために、客は別のポーンを使用してオン／オフを選択するか、又はマットからポーンを外すことができる。ホテルの背景において、ポーンはホテルキーであることができる。これは、通常は明かりを点灯／消灯するためにドア付近のスロットに置かれる既存のホテルカードキーと同様に機能し得る。しかしながら、本開示において、客はマットの上にキーを置き、国／地域／場所を選択するためにこれを使用することが許可されることができる。
【００３３】
ここで図３を参照すると、タッチセンサ式地球儀は太陽（又は月）をあらわす追加球体３０２を伴うことができる。客は、タッチセンサ式地球儀１０２（すなわち地球）をその軸周りに回転させることによって、及び、選択された国／地理的地域が太陽球３０２に関連してどこにあるかに応じて、室内の雰囲気をさらに調節することができ、理論時刻が変更されることができ、従って雰囲気が変更されることができる。交互に、太陽球はその軸周りに動かされることができる。このために、情報処理ユニット１０４は、接触された地理的地域に関連する太陽球の位置を決定し、昼／夜の時間に関連する情報を得るように構成されることができる。さらに、制御ユニットは、得られた昼／夜の時間をあらわす雰囲気を作り出すために少なくとも１つの出力装置を適応させるようにさらに構成されることができる。実例として、客はスカンジナビアの朝、夕暮れ、又は夜をあらわすように雰囲気を調節することができる。
【００３４】
さらに、接触された地理的地域が太陽球３０２の後ろになるようにタッチセンサ式地球儀を配置することは、夜をあらわす雰囲気を作り出すように制御ユニットを作動させることができる。
【００３５】
さらに、情報処理ユニット１０４は客からの追加情報を手動で受信するようにさらに構成されることができる。制御ユニットはさらに、ｉ）接触された地理的領域に対応して得られた情報、及びｉｉ）手動で受信されたユーザからの追加情報に基づいて、少なくとも１つの出力装置を適応させて雰囲気を作り出すように構成されることができる。従って、室内の光の量は客によって手動で制御されることができ、例えば英国にいる客が'オーストラリア'を選択した場合、これら２国の昼夜時間は異なり、客は室内の全ての明かりを消したくないかもしれない。
【００３６】
ここで図４を参照すると、雰囲気生成法は以下のステップを有する。
タッチセンサ式地球儀１０２を利用し、ユーザによる接触に基づいて地理的地域をあらわす信号を生成する、ステップ４０２
生成された信号を受信し、接触された地理的地域に対応する情報を得る、ステップ４０４
接触された地理的地域に対応する雰囲気を作り出すために得られた情報に従って少なくとも１つの出力装置を作動させる、ステップ４０６
【００３７】
一般に、インターネットにアクセスするか、又はデータベース／メモリにアクセスするように情報処理ユニットを構成する、制御ユニット及び他のハードウェアを構成するという先行技術は、それらを開示されたシステムに組み込む方法の例を提供するために参考にされることができる。かかる情報は当該技術分野で周知であり、詳細に説明されない。
【００３８】
要約すると、インタラクティブな雰囲気生成システムが開示される。雰囲気生成システムは、ユーザによる接触に基づいて地理的地域をあらわす信号を生成するように構成されるタッチセンサ式地球儀と、生成された信号を受信して接触された地理的地域に対応する情報を得るように構成される情報処理ユニットと、接触された地理的地域に対応する雰囲気を作り出すために得られた情報に従って少なくとも１つの出力装置を適応させるように構成される制御ユニットとを有する。開示されたシステムは、好適には、言語及び／又は精神的モードが、異なる国からの客間で異なり得る、ホテルの背景において雰囲気を制御するのに使用されることができる。ホテルは、洗練された、かつアクセスしやすい雰囲気生成システムを提供することによって、差別化サービス又は豪華さを提供し得、これは多くの異なる客が、部屋の雰囲気を変えることができる同じホテルの部屋から、より大きな帰属意識、個人化、及び喜びを得ることを可能にする。
【００３９】
本願主題は、家庭の背景において、すなわち、学生に世界中の気候を知らせるために学校などでの教育の背景において使用されることができ、又は小売店において、又は任意の密室環境において所要の雰囲気を生成するのに使用されることができる。
【００４０】
本願において請求項は特定の特徴の組み合わせに対して考案されているが、当然のことながら本願主題の開示の範囲は、いかなる新規の特徴、又は明示的に若しくは暗黙的に本明細書に開示された特徴のいかなる新規の組み合わせ、又はそれらのいかなる一般化をも含み、任意の請求項に現在請求されているものと同じ主題に関するかどうかを問わず、並びに本願主題がするように同じ技術的問題のいくつか又は全てを軽減するかどうかを問わない。
【００４１】
さらに、主題は図面と前述の記載において詳細に説明されているが、かかる図示と記載は例示又は実例であって限定ではないと見なされるものであり、主題は開示された実施形態に限定されない。開示された実施形態への他の変更は、図面、開示、及び添付の請求項の考察から、請求された主題を実践する当業者によって理解され、もたらされることができる。例として、タッチセンサ式地球儀はその軸周りに自動的に回転されることができ、内部時計が存在する場合は抽象時間ピースとして使用されることができる。さらに、単一ユニットが、請求項に列挙された複数の項目の機能を満たしてもよい。特定の手段が相互に異なる従属請求項に列挙されているという単なる事実は、これらの手段の組み合わせが有利に使用されることができないことを意味しない。
【００４２】
"有する"という動詞及びその活用の使用は、請求項又は明細書に述べられたもの以外の要素の存在を除外しない。要素又はステップに先行する不定冠詞"ａ"又は"ａｎ"の使用は、かかる要素又はステップの複数の存在を除外しない。図面及び説明は一例にすぎないと見なされるものであり、主題を限定しない。請求項における任意の参照符号は範囲を限定するものと解釈されてはならない。
【図１】
2012503291.tif 000003
【図２】
2012503291.tif 000004
【図３】
2012503291.tif 000005
【図４】
2012503291.tif 000006
【国際調査報告】
2012503291.tif 000007
2012503291.tif 000008
2012503291.tif 000009
2012503291.tif 000010